(57)【要約】【課題】本発明は、昇降機１から供給される穀物を乾燥機２内へ張込む上部移送樋３内に残留する穀粒を、確実に、且つ、迅速に清掃を行う。【解決手段】昇降機１から供給される穀物を乾燥機２内へ張込む上部移送樋３の底部に開閉シャッター４を設け該開閉シャッター４を開閉操作する開閉アーム５端には索条６一端を連結するとともに、該索条６他端を機外の操作制御ボックス７等を設ける機体前面側に延設し、更に、機体前壁８に設ける保持体９に前記索条６他端に連結するグリップ１０を系脱可能で、且つ、グリップ１０の保持体９への系止位置で開閉シャッター４を閉鎖位置へ保持可能に構成とする。【選択図】  図4
2012112575.tif 000002
【特許請求の範囲】
【請求項１】
昇降機（１）から供給される穀物を乾燥機（２）内へ張込む上部移送樋（３）の底部に開閉シャッター（４）を設け該開閉シャッター（４）を開閉操作する開閉アーム（５）端には索条（６）一端を連結するとともに、該索条（６）他端を機外の操作制御ボックス（７）を設ける機体前面側に延設し、更に、機体前壁（８）に設ける保持体（９）に前記索条（６）他端に連結するグリップ（１０）の位置を固定又は非固定を可能とし、且つ、グリップ（１０）を保持体（９）への固定位置とすると開閉シャッター（４）が閉鎖位置へ保持可能に構成してなる穀物乾燥機。
【請求項２】
開閉アーム（５）とグリップ（１０）を連結する索条（６）の乾燥機（２）天井部と前壁（８）との間に案内筒（１１）を設けてなる請求項１記載の穀物乾燥機。
【請求項３】
保持体（９）の機体前壁（８）への取付け位置を上下方向へ調節可能の調節具（１２）を設けてなる請求項１又は請求項２記載の穀物乾燥機。
【請求項４】
昇降機（１）から供給される穀物を乾燥機（２）内へ張込む上部移送樋（３）始端部に、乾燥終了時に穀物を機外へ取出す排出口（１３）を設けるとともに該排出口（１３）を開閉する排出シャッター（１４）をモータ（１５）駆動に構成してなる請求項１乃至３記載の穀物乾燥機。
【発明の詳細な説明】
【技術分野】
【０００１】
本発明は穀物乾燥機に関するものであり、更に詳しくは、乾燥機内へ穀物を張込む上部移送樋の清掃装置に関するものである。
【背景技術】
【０００２】
特許文献１には、昇降機から供給される穀物を乾燥機内へ張込む上部移送樋始端部に、乾燥終了時に穀物を機外へ取出すための排出口を設けこの排出口を開閉する排出シャッターをモータにより駆動可能に構成して乾燥機内への穀物の張込みと機外への取出しを切替え可能に構成すすると共に、乾燥機内に位置する上部移送樋内の残留穀物を清掃すべく上部移送樋の底部を開閉可能に構成する開閉シャッターを設け、この開閉シャッターをモータにより駆動可能に構成する技術が記載されている。
【先行技術文献】
【特許文献】
【０００３】
【特許文献１】特開２００４−２６３９２１号公報
【発明の概要】
【発明が解決しようとする課題】
【０００４】
上記先行技術にあっては、穀物を機外へ取出す開閉シャッターと、上部移送樋内の残留穀物を清掃するための開閉シャッターを夫々別モータで駆動するため高価であるとともに、この種乾燥機は年に一度のシーズンに使用するのみであり、又、穀物の種類、張込量、乾燥する穀物の含水量、乾燥後の目標含水量等の設定作業や、張込み、通風、乾燥、排出、停止等の重要なメインの操作に気を取られ、清掃用の開閉シャッターの開閉状態を失念することが間々あり、事後の作業に支障を来すものである。
【０００５】
又、上部移送樋の底部を開閉シャッターにより単に開放するのみでは、各部材間に藁屑等と共に挟まった穀物を取除き清掃することが出来ない。確実に清掃するには、開閉シャッターを素早く複数回、又、各構成部材を傷つけないようその操作力を加減しながら操作する必要があるが、このような複雑なモータ制御は困難であり極めて高価となるものである。この発明は、上記の如き欠点を解決することを課題とする。
【課題を解決するための手段】
【０００６】
この発明は、かかる技術的課題を解決するために次のような技術的手段を構成した。すなわち、請求項１記載の発明は、昇降機１から供給される穀物を乾燥機２内へ張込む上部移送樋３の底部に開閉シャッター４を設け該開閉シャッター４を開閉操作する開閉アーム５端には索条６一端を連結するとともに、該索条６他端を機外の操作制御ボックス７を設ける機体前面側に延設し、更に、機体前壁８に設ける保持体９に前記索条６他端に連結するグリップ１０の位置を固定又は非固定を可能とし、且つ、グリップ１０を保持体９への固定位置とすると開閉シャッター４が閉鎖位置へ保持可能に構成してなる穀物乾燥機とする。
【０００７】
請求項２記載の発明は、開閉アーム５とグリップ１０を連結する索条６の乾燥機２上部と前壁８との間の屈曲部に案内筒１１を設けてなる請求項１記載の穀物乾燥機とする。
請求項３記載の発明は、保持体９の機体前壁８への取付け位置を上下方向へ調節可能の調節具１２を設けてなる請求項1又は請求項２記載の穀物乾燥機とする。
【０００８】
請求項４記載の発明は、昇降機１から供給される穀物を乾燥機２内へ張込む上部移送樋３始端部に、乾燥終了時に穀物を機外へ取出す排出口１３を設けるとともに該排出口１３を開閉する排出シャッター１４をモータ１５駆動に構成してなる請求項１乃至３記載の穀物乾燥機とする。
【発明の効果】
【０００９】
請求項１記載の発明においては、乾燥作業の開始時には作業者が乾燥機２の操作制御ボックス７等を設ける機体前面側に必然的に位置することになり、この時同じく機体前壁８に設けられる保持体９からグリップ１０が外れて非固定位置にいれば、作業者はこれを極めて容易に視認できるものであり、グリップ１０に索条６、及び、開閉アーム５を介して連結される開閉シャッター４が解放状態であることが一目瞭然に確認でき、開閉シャッター４を解放したまま穀物を乾燥機２へ張込む等のトラブルを防止できる。
【００１０】
また、作業終了時等にあって上部移送樋３内の残留穀物を清掃する場合には、保持体９からグリップ１０を外せば索条６、開閉アーム５を介して連結牽引される開閉シャッター４がその自重により開放され内部の残留穀物を放出できる。なお、開閉シャッター４を開放方向にバネ等で付勢しておけば更に容易に開放できる。
【００１１】
藁屑等とともに各部材間に挟まった残留穀物は、開閉シャッター４を単に開放するのみでは落下しない場合があるが、グリップ１０を持もって複数回、素早く操作力を加減しながら開閉シャッター４を開閉操作すれば、各構成部材を傷つけることなく残留穀物の迅速な清掃が可能である。
【００１２】
請求項２記載の発明では、開閉アーム５とグリップ１０を連結する索条６の乾燥機２上部と前壁８との間の屈曲部に案内筒１１を設けたものであるから、索条６を円滑に案内して素早い操作が可能である。
【００１３】
請求項３記載の発明では、保持体９の機体前壁８への取付け位置を上下方向へ調節可能の調節具１２を設けたものであるから、経年変化等により索条６が伸びその長さが変化しても容易に調節できる。
【００１４】
請求項４記載の発明は、昇降機１から供給される穀物を乾燥機２内へ張込む上部移送樋３始端部に、乾燥終了時に穀物を機外へ取出す排出口１３を設けるとともに該排出口１３を開閉する排出シャッター１４をモータ１５駆動により行う構成としたものであるから、作業上必ず行う排出シャッター１４の開閉操作をモータ１５の駆動により確実に行うことができ、また、同種類の穀物の乾燥作業を連続して複数回行う場合等、作業毎に毎回必要としない上部移送樋３の清掃作業は必要に応じ任意に安価な手動装置で行えばよく効率的である。
【図面の簡単な説明】
【００１５】
【図１】乾燥機の正面図である。
【図２】乾燥機の正断面図である。
【図３】乾燥機の側断面図である。
【図４】要部の側断面図である。
【図５】一部の側断面図である。
【図６】確認窓３２の他の実施例を示す正面図である。
【図７】操作制御ボックスの説明図である。
【図８】拡散板４９部の平面図である。
【図９】拡散板４９部の断面図である。
【図１０】要部の断面図である。
【発明を実施するための形態】
【００１６】
この発明の実施例を図面に基づき説明する。
該乾燥機２は、機枠１６、１６を多段に積重ねて構成され、内部には上から貯留室１７、乾燥室１８、集穀室１９の順に積重ねられ、外部に設ける昇降機１によって穀物を循環させながら、機体前壁８側に設けるバーナー２０から送風される熱風により乾燥すべく構成してある。
【００１７】
２１は熱風室であり、機体中央に位置し前端を前記バーナー２０に連通するとともに後方に延設される。該熱風室２１の左右両側には目抜き鉄板２２、２２により仕切られる一対の乾燥室１８、１８を設けてあり、上方の貯留室１７から流下案内される穀物を乾燥させる。
【００１８】
乾燥室１８、１８の外側は集穀室兼俳風室１９に構成され、後部の吸引ファン２３に連通してある。
２４は繰出しバルブであり、低速で回転駆動され乾燥室１８、１８内の穀物を順次下方の集穀室１９へ繰出す。該集穀室１９下部には移送ラセン４６を内装する下部移送樋２５設けてあり、その終端は前記昇降機１に連通され、送出翼４７により昇降機１内へ送られて再び貯留室１７へ循環される。
【００１９】
２６はバーナー２０の前側を覆うカバー、２７は燃料タンク、２８は含水率計、２９は排出口１３に連通し穀物を機外へ排出する排出案内筒である。又、３０は点検用の梯子、３１は穀物張込み時に穀物袋を置く受台であり、集穀室１９の側壁一部を開閉可能にして構成してある。
【００２０】
３２は穀物量の確認窓であり、貯留室１７の前壁８に上下複数個所に配置し収納される穀物量を確認するものである。該確認窓３２は、図５に示すように前壁８を所定幅傾斜状に前方に押し出し、上側角部にスリット３３をその下部の傾斜部に窓３２開設し、該スリット３３から透明の樹脂板３４を差し込んで窓３２を閉鎖してある。従って穀物圧力が樹脂板３４上方から傾斜部に沿って外方に向かう為該樹脂板３４が前壁８側に圧接するため、各部材間に隙間が発生せず穀物が外部に漏出することがない。なお、該確認窓３２は図６に示すように前壁８とは別部材でプレス加工により形成し、スポット溶接により前壁８に取り付けてもよい。
【００２１】
操作制御ボックス７内には、バーナー２０や乾燥機２の穀物循環機構等の制御に必要な制御プログラム及び各種データ等を記憶するメモリーを備えるコンピュターを内蔵している。また、該制御操作ボックス７には図７に示すように液晶表示部３５をもうけ、更に、５個の押しボタン形式の張込、通風、乾燥、排出及び停止の各モードスイッチ３６乃至４０を配設してある。これらスイッチのほか、張込量設定スイッチ４１、穀物種類に対応させた乾燥目標水分設定スイッチ４２、乾燥率設定スイッチ４３と、緊急停止スイッチ４４やタイマー増減スイッチ４５等を設けてある。
【００２２】
該操作制御ボックス７は、これらの各スイッチと、乾燥機２各部に設けるセンサ類からの検出情報を受けて必要な比較演算のもと、バーナー燃焼量の制御、穀物循環系の起動、停止制御、液晶表示部３５の表示内容制御等をおこなう。
【００２３】
昇降機１の上端には排出口１３を備える取出筒４８を設けてあり、該排出口１３の排出シャッター１４の閉鎖時には昇降機１から放出される穀粒が上部移送樋３をそのまま移送され、貯留室１７の中央位置で回転する拡散板４９により拡散放出される。
【００２４】
また、排出シャッター１４を開放すると、昇降機１から放出される穀粒は取出筒４８から排出案内筒２９を介して機外へ取出される。排出シャッター１４は、モータ１５の駆動によりリンク機構５０により開閉可能に構成してある。
【００２５】
拡散板４９は、方形状の平板周囲に起立翼５１,５１を立設して構成されると共に、移送ラセン５２によりギヤボックス５３を介して駆動する。
拡散板４９手前の上部移送樋３端には、先端を平面視傾斜して形成する半円筒状のガイド板５４を設けると共に、該拡散板４９を上部移送樋３に沿って移動可能に構成し拡散板４９への穀粒供給位置を変更し、拡散板４９の拡散状態を調節可能に構成してある。ガイド板５４はボルト５５によりその調節位置で固定する。
【００２６】
又、ガイド板５４の後端はその前端と逆傾斜に形成してあり、該ガイド板５４を前後反転して取り付けることにより、拡散板４９への穀粒供給状態を大きく変更可能に構成してある。
【００２７】
上部移送樋３の清掃装置について説明すると、該上部移送樋３の下面は拡散板４９の手前位置まで開放され、この開放部に開閉シャッター４をその一側を蝶番５６により回動自在に枢支して位置させ閉鎖してある。従って、通常作業時には昇降機１から供給される穀粒は該上部移送樋３内を移送され拡散板４９により貯留室１７内へ均等に放出される。
【００２８】
開閉アーム５はその上端に索条６を連結され、その下端は上部移送樋３の補強部材に取着の軸５７に枢支される。支持体５８は、Ｌの字状に屈曲形成しその一端を軸５７に支持されると共に、開閉アーム５と一体回動可能に両者を系止してある。
【００２９】
支持体５８は通常時にあっては開閉シャッター４の下面を支持して該開閉シャッター４を閉鎖位置に保持し、又、開閉アーム５を矢印イ方向に回動させることにより開閉シャッター４の支持を解除して下方に回動させ上部移送樋３の下面を開放し残留穀粒を放出する。
【００３０】
案内筒１１は、機体上面と前壁８の角部に湾曲状に設けてあり、索条６の移動を円滑に案内する。５９はその取付け部材である。索条６は、機体前壁８に沿って延設されその下端にグリップ１０を取付けてある。
【００３１】
グリップ１０はその下端をＴの字状の握り易い形状としその上部を細幅に形成し、機体前壁８に設ける保持体９前部の細溝に系止させてある。従って、この状態では索条６を引き開閉アーム５を反矢印イ方向へ引き支持体５８で開閉シャッター４閉鎖位置に保持する。
【００３２】
保持体９は、調節具１２（ボルト）により、機体前壁８への取り付位置を変更することにより、索状６の経年変化による伸びに対応できる。
乾燥作業の開始時には作業者が乾燥機２の操作制御ボックス７等を設ける機体前面側に必然的に位置することになり、この時同じく機体前壁８に設けられる保持体９からグリップ１０が外れている場合は、極めて容易にこの状態を視認できるものであり、グリップ１０に索条６、及び、開閉アーム５を介して連結される開閉シャッター４が解放状態であることが一目瞭然に確認でき、開閉シャッター４を解放したまま穀物を乾燥機２へ張込む等のトラブルを防止できる。
【００３３】
また、作業終了時等にあって上部移送樋３内の残留穀物を清掃する場合には、保持体９からグリップ１０を外せば索条６、開閉アーム５を介して連結牽引される開閉シャッター４がその自重により開放され内部の残留穀物を放出できる。なお、開閉シャッター４を開放方向にバネ等で付勢しておけば更に容易に開放できる。
【００３４】
藁屑等とともに各部材間に挟まった残留穀物は、開閉シャッター４を単に開放するのみでは落下しない場合があるが、グリップ１０を持もって複数回、素早く操作力を加減しながら開閉シャッター４を開閉操作すれば、各構成部材を傷つけることなく残留穀物の迅速な清掃が可能である。
【００３５】
又、６０は吸引ファン、６１はその駆動モータ、６２は連通筒であり乾燥機２内の塵埃を吸引排出する。
【符号の説明】
【００３６】
１  昇降機
２  乾燥機
３  上部移送樋
４  開閉シャッター
５  開閉アーム
６  索条
７  操作制御ボックス
８  機体前壁
９  保持体
１０  グリップ
１１  案内筒
１２  調節具
１３  排出口
１４  排出シャッター
１５  モータ
【図１】
2012112575.tif 000003
【図２】
2012112575.tif 000004
【図３】
2012112575.tif 000005
【図４】
2012112575.tif 000006
【図５】
2012112575.tif 000007
【図６】
2012112575.tif 000008
【図７】
2012112575.tif 000009
【図８】
2012112575.tif 000010
【図９】
2012112575.tif 000011
【図１０】
2012112575.tif 000012